(57)【要約】【課題】本発明は、記録媒体の記録領域を有効に利用することを目的とする。また、画像情報の再生順序及び再生時間の設定の自由度を高めることを目的とする。【解決手段】  上記目的を達成するため、本発明は、画像情報を記録媒体に記録する技術において、各々の画像情報に再生する時間情報を付加し、前記各々の画像情報を、再生する順番に一つのファイルとして前記記録媒体に記録する技術とする。また、画像情報を記録媒体に記録する技術において、各々に所定の再生する時間情報を付加した複数の画像情報を、再生される順番で並べて、一つの複数画像ファイルとして前記記録媒体に記録し、任意の再生する時間情報を付加した一つの画像情報を、一つの単一画像ファイルとして前記記録媒体に記録し、前記複数画像ファイルと前記単一画像ファイルの再生順番を示す情報よりなるプレイリストファイルを前記記録媒体に記録する技術とする。【選択図】  図２
2011229177.tif 000002
【特許請求の範囲】
【請求項１】
複数の画像情報を記憶し、
各々の画像情報は、再生する時間情報を有し、
前記各々の画像情報を、再生する順番に一つのファイルで記憶する記録媒体。
【請求項２】
所定の再生する時間情報を有する複数の画像情報が再生される順番で並べられている複数画像ファイルと、
任意の再生する時間情報を有する一つの画像情報よりなる単一画像ファイルと、
前記複数画像ファイルと前記単一画像ファイルの再生順番を示す情報よりなるプレイリストファイルと、を記憶する記録媒体。
【請求項３】
請求項２に記載の記録媒体であって、
前記プレイリストファイルは、前記任意の再生する時間情報を有する画像情報について、所定の再生時間を示す情報を有する記録媒体。
【請求項４】
請求項２又は請求項３に記載の記録媒体であって、
前記単一画像ファイルは、複数のプレイリストファイルに関連付けられる記録媒体。
【請求項５】
再生順序及び再生時間が固定されている複数の画像情報を一つの複数画像ファイルとして記憶し、
再生時間が固定されていない一つの画像情報を一つの単一画像ファイルとして記憶し、
前記複数画像ファイルと前記単一画像ファイルの再生順番を示すプレイリストファイルを記憶する記録媒体。
【請求項６】
請求項５に記載の記録媒体であって、
前記プレイリストファイルは、前記再生時間が固定されていない画像情報について、所定の再生時間を示す情報を有する記録媒体。
【請求項７】
請求項５又は請求項６に記載の記録媒体であって、
前記単一画像ファイルは、複数のプレイリストファイルに関連付けられる記録媒体。
【請求項８】
所定の再生する時間情報を有する複数の画像情報が再生される順番で並べられている複数画像情報群と、任意の再生する時間情報を有する一つの画像情報と、を異なる時間軸とする一つのファイルと、
前記複数画像情報群と前記任意の再生する時間情報を有する画像情報の再生順番を示す情報よりなるプレイリストファイルと、を記憶する記録媒体。
【請求項９】
請求項８に記載の記録媒体であって、
前記プレイリストファイルは、前記任意の再生する時間情報を有する画像情報について、所定の再生時間を示す情報を有する記録媒体。
【請求項１０】
請求項８又は請求項９に記載の記録媒体であって、
前記任意の再生する時間情報を有する画像情報は、複数のプレイリストファイルに関連付けられる記録媒体。
【請求項１１】
再生順序及び再生時間が固定されている複数の画像情報群と、再生時間が固定されていない一つの画像情報と、を異なる時間軸とする一つのファイルと、
前記複数の画像情報群と前記再生時間が固定されていない画像情報の再生順番を示すプレイリストファイルと、  を記憶する記録媒体。
【請求項１２】
請求項１１に記載の記録媒体であって、
前記プレイリストファイルは、前記再生時間が固定されていない画像情報について、所定の再生時間を示す情報を有する記録媒体。
【請求項１３】
請求項１１又は請求項１２に記載の記録媒体であって、
前記再生時間が固定されていない画像情報は、複数のプレイリストファイルに関連付けられる記録媒体。
【請求項１４】
画像情報を記録媒体に記録する記録方法において、
各々の画像情報に再生する時間情報を付加し、
前記各々の画像情報を、再生する順番に一つのファイルとして前記記録媒体に記録する記録方法。
【請求項１５】
画像情報を記録媒体に記録する記録方法において、
各々に所定の再生する時間情報を付加した複数の画像情報を、再生される順番で並べて、一つの複数画像ファイルとして前記記録媒体に記録し、
任意の再生する時間情報を付加した一つの画像情報を、一つの単一画像ファイルとして前記記録媒体に記録し、
前記複数画像ファイルと前記単一画像ファイルの再生順番を示す情報よりなるプレイリストファイルを前記記録媒体に記録する記録方法。
【請求項１６】
画像情報を記録媒体に記録する記録方法において、
再生順序及び再生時間が固定されている複数の画像情報を一つの複数画像ファイルとして前記記録媒体に記録し、
再生時間が固定されていない一つの画像情報を一つの単一画像ファイルとして前記記録媒体に記録し、
前記複数画像ファイルと前記単一画像ファイルの再生順番を示すプレイリストファイルを前記記録媒体に記録する記録方法。
【請求項１７】
画像情報を記録媒体に記録する記録方法において、
所定の再生する時間情報を付加した複数の画像情報を再生する順番で並べた複数画像情報群と、任意の再生する時間情報を付加した一つの画像情報と、を異なる時間軸で一つのファイルとして前記記録媒体に記録し、
前記複数画像情報群と前記任意の再生する時間情報を有する画像情報の再生順番を示す情報よりなるプレイリストファイルを前記記録媒体に記録する記録方法。
【請求項１８】
画像情報を記録媒体に記録する記録方法において、
再生順序及び再生時間が固定されている複数の画像情報群と、再生時間が固定されていない一つの画像情報と、を異なる時間軸で一つのファイルとして前記記録媒体に記録し、
前記複数の画像情報群と前記再生時間が固定されていない画像情報の再生順番を示すプレイリストファイルを前記記録媒体に記録する記録方法。
【請求項１９】
記録媒体に記録された画像情報を再生する再生方法であって、
前記記録媒体に記録された再生順序を規定するプレイリストファイルに基いて画像ファイルの再生順序を制御し、
各々に所定の再生する時間情報が付加された複数の画像情報からなる複数画像ファイルについては、付加されている時間情報に基き再生時間を制御し、
任意の再生する時間情報が付加された単一の画像情報からなる単一画像ファイルについては、所定の指示があるまで再生を継続する再生方法。
【請求項２０】
記録媒体に記録された画像情報を再生する再生方法であって、
前記記録媒体に記録された再生順序を規定するプレイリストファイルに基いて画像ファイルの再生順序を制御し、
各々に所定の再生する時間情報が付加された複数の画像情報からなる時間軸の画像情報は、付加されている時間情報に基き再生時間を制御し、
任意の再生する時間情報が付加された単一の画像情報からなる時間軸の画像情報は、所定の指示があるまで再生を継続する再生方法。
【発明の詳細な説明】
【技術分野】
【０００１】
本発明は、記録媒体、及び記録媒体に情報を記録・再生する技術に関する。特に、画像情報を記憶する記録媒体、及び記録媒体に画像情報を記録・再生する技術に関する。
【背景技術】
【０００２】
画像／音声情報を再生する装置としては、ＶＴＲ（Ｖｉｄｅｏ  Ｔａｐｅ  Ｒｅｃｏｄｅｒ）やＤＶＤプレーヤなどがある。
【０００３】
従来は、図４に示すように、ビデオ・テープやＤＶＤには、ストリーム（以下、ＳＴＬと呼ぶ）として、複数の画像情報（Ａ、Ｂ、Ｃ、・・）が記録されており、さらにこれらの画像情報の再生順序や再生時間を管理するプレイリスト情報（以下、ＰＬ．ｄａｔａと呼ぶ）が記録されている。
【０００４】
そして、ビデオ・テープやＤＶＤに記録された画像情報（Ａ、Ｂ、Ｃ、・・）を再生する際には、ＰＬ．ｄａｔａに基いて画像情報（Ａ、Ｂ、Ｃ、・・）を再生することとする。これにより、例えば、ＰＬ．ｄａｔａが図４に示す内容である場合には、画像Ａ、画像Ｃ、画像Ｂの再生順番で、画像Ａを５秒間、画像Ｃを１０秒間、画像Ｂを３秒間再生することができる。
【発明の概要】
【発明が解決しようとする課題】
【０００５】
しかしながら、従来技術では、ＰＬ．ｄａｔａによらなければ、画像情報の再生順序や再生時間を設定することができなかったため、例えば、画像Ａ、Ｂについては、再生時間も再生順序も固定するという場合も、ＰＬ．ｄａｔａをビデオ・テープやＤＶＤなどの記録媒体に記録しておく必要があった。しかし、この場合に、ＰＬ．ｄａｔａの情報量を低減し、記録媒体の記録領域を有効に利用したいという課題があった。また、画像情報の再生時間や再生順序の設定の自由度を高めたいという課題があった。
【０００６】
本発明は、上記従来技術の課題を解決することを目的とする。
【課題を解決するための手段】
【０００７】
上記目的を達成するため、本発明は、画像情報を記録媒体に記録する技術において、各々の画像情報に再生する時間情報を付加し、前記各々の画像情報を、再生する順番に一つのファイルとして前記記録媒体に記録する技術とする。
【０００８】
また、画像情報を記録媒体に記録する技術において、各々に所定の再生する時間情報を付加した複数の画像情報を、再生される順番で並べて、一つの複数画像ファイルとして前記記録媒体に記録し、任意の再生する時間情報を付加した一つの画像情報を、一つの単一画像ファイルとして前記記録媒体に記録し、前記複数画像ファイルと前記単一画像ファイルの再生順番を示す情報よりなるプレイリストファイルを前記記録媒体に記録する技術とする。
【発明の効果】
【０００９】
以上、本発明は、記録媒体の記録領域を有効に利用することができる。また、画像情報の再生順序及び再生時間の設定の自由度を高めることができる。
【図面の簡単な説明】
【００１０】
【図１】第一の実施形態の記録再生装置のブロック図。
【図２】第一の実施形態における、記録媒体上の画像情報及びプレイリスト情報を示すイメージ図。
【図３】第二の実施形態における、記録媒体上の画像情報及びプレイリスト情報を示すイメージ図。
【図４】従来技術における、記録媒体上の画像情報及びプレイリスト情報を示すイメージ図。
【発明を実施するための形態】
【００１１】
以下、第一の実施形態について説明をする。なお、本発明は、ビデオ・テープ、光ディスク、メモリスティック、ハードディスク等のあらゆる記録媒体及び記録媒体に情報を記録再生する装置に適用することができるが、本実施形態においては、記録媒体は光ディスクであるものとして説明をする。
【００１２】
図１は、第一の実施形態の記録再生装置を示した図である。まず、光ディスクに画像情報を記録する処理について説明をする。
【００１３】
指示入力回路１０１は、入力された指示情報を制御回路１０２に出力する回路である、制御回路１０２は、記録再生装置の各回路を制御する。制御回路１０２は、指示入力回路１０１から画像情報を記録する指示情報が入力されると、画像情報入力端子１０３から入力された画像情報を画像圧縮伸張回路１０４で圧縮させ、バッファメモリ１０５に一時的に記憶させ、記録再生回路１０６により光ディスク１０７に情報を記録させる。
【００１４】
本実施例において、例えば、画像Ａ、Ｂ、Ｃの再生時間及び再生順序が固定される場合には、図２の２０１に示したように、画像Ａ、Ｂ、Ｃとその再生時刻（最初の画像Ａが再生時刻基点の０秒）が、再生順を追って並べられた構造をもつ、画像情報ファイル（ＳｔｉｌｌＧ１．ＳＴＬと呼ぶ）として光ディスクに記録される。
【００１５】
これにより、画像Ａ、Ｂ、Ｃの再生時間及び再生順序を設定するためのＰＬ．ｄａｔａが不要となり、ＰＬ．ｄａｔａの情報量を低減し、光ディスクの記録領域を有効に利用できるという効果がある。
【００１６】
また、本実施形態において、画像Ｄ、Ｅのように再生時間及び再生順序を固定しない場合には、画像Ｄ、Ｅは、２０２、および２０３に示したように、１枚の画像情報からなる画像ファイル（以下、各々のファイルをＳｔｉｌｌＤ．ＳＴＬ、ＳｔｉｌｌＥ．ＳＴＬと呼ぶ）として光ディスクに記録される。この場合において、画像Ｄ、Ｅの再生順序及び再生時間は、ＰＬ．ｄａｔａで設定されるので、画像Ｄ、Ｅの再生開始時刻情報は任意の値（Ｘ）が書き込まれている。この値は、例えば、時間設定なしとしても良いし、６０秒と比較的長い期間にしても良い。
【００１７】
また、本実施形態において、ＰＬ．ｄａｔａは、２０４、及び２０５に示すように、画像の再生順序及び再生時間を１セットとする再生シーケンス情報ファイル（以下、各々のファイル名をＰＬ１．ｄａｔ、ＰＬ２．ｄａｔと呼ぶ）で光ディスクに記録される。
【００１８】
次に、光ディスクに記録されている画像情報を再生する処理について説明をする。まず、指示入力回路１０１から再生をする指示情報を出力されると、制御回路１０２は、記録再生回路１０６に光ディスクに記録されているＰＬ．ｄａｔａを再生する。そして、ＰＬ．ｄａｔａに基いて画像情報を再生する。そして、記録再生回路１０６で再生された画像情報は、バッファメモリ１０５に一時記憶され、アナログ化回路１０８でアナログ化され、ＬＣＤに表示される。即ち、例えば、ＰＬ１．ｄａｔａのシーケンスで再生する場合、ＰＬ１．ｄａｔａの再生シーケンス情報に従い、まず画像情報ＳｔｉｌｌＤ．ＳＴＬが５秒間再生され、次に、画像情報ＳｔｉｌｌＥ．ＳＴＬが１０秒間再生され、その後、順次ＳｔｉｌｌＧ１．ＳＴＬの画像情報の並び、及び再生時刻に従って再生動作が行われる。また、ＰＬ２．ｄａｔａについては、ＰＬ２．ｄａｔａの再生シーケンス情報に従い、まず、画像情報ＳｔｉｌｌＤ．ＳＴＬが媒体から再生されるが、再生時間が所定の値Ｙ秒という値で入っている場合は、たとえば指示入力回路１０１から次に画像を再生すべき指示があった場合に、順次ＳｔｉｌｌＧ１．ＳＴＬの画像情報の並び、及び再生時刻に従って再生動作が行われ、その後画像情報ＳｔｉｌｌＥ．ＳＴＬが５秒間再生される。
【００１９】
以上、第一の実施形態では、再生する画像の再生順序と再生時間を自由に個別に設定できるとともに、各再生シーケンスを決める再生シーケンス情報ファイルごとに再生シーケンスを決めることが出来るし、各再生再生シーケンス情報ファイルごとに再生時間を設定する必要がなく、固定のシーケンスで再生順番、再生時間を設定する必要がないものにおいては、１０１に示した画像情報ファイルにそのシーケンスをゆだねることになり、各再生シーケンス情報ファイルの記述する内容を節約できるため、限られた容量の媒体への記録フォーマットとして有利である。
【００２０】
また、単一の情報ファイル中に、再生時刻があらかじめ規定されていない画像ないし、再生期間が無限大の画像が記録されると、情報ファイル中の時刻情報の連続性が失われたり、矛盾が生じるが、このようなファイルを別ファイルとすることにより、情報ファイルの一貫性を保つことが出来る。
【００２１】
次に第二の実施形態について、図３を用いて説明をする。図３において３０１は、複数の画像の情報とその再生時刻（最初の画像１が再生時刻基点の０秒）が、再生順を追って並べられた構造をもつ、画像情報である。３０２および３０３は、１枚の画像情報である。ここで、３０１、３０２、及び３０３は一つのファイル（以下、このファイル名をＳｔｉｌｌ．ＳＴＬと呼ぶ）として記録されている。ここで、３０１は連続したＳＴＣ（Ｓｙｓｔｅｍ  Ｔｉｍｅ  Ｃｌｏｃｋ）シーケンスで記録されている。具体的には、ＭＰＥＧのトランスポートストリーム形式で記録されており、同一のＳＴＣシーケンスの情報は、同一のＰＩＤ（パケットＩＤ）を有している。一方、３０２および３０３はそれぞれ異なったＳＴＣシーケンスで記録されており、異なったＰＩＤを持つ情報パケットに記録される。
【００２２】
以上、第二の実施形態においては、ＳＴＣシーケンスを分割することにより、単一のファイル上に記録されていたとしても、実質的には異なった情報ファイルとして扱うことが出来る。これにより、第一の実施形態と同様に、異なったＰＬ．ｄａｔａから参照されるような場合にも、再生順番と再生時間を自由に個別に設定できる。
【００２３】
また、図３に示すようにＳＴＣを分割して記録を行うような場合には、ＰＬ．ｄａｔａに、再生を行う画像がどのＳＴＣシーケンスに対応しているかという情報を記録しておく。これにより、再生時刻が無限大のような画像情報が存在したとしても、その画像のＳＴＣシーケンスを他の連続した画像のＳＴＣシーケンスと分けることにより、情報中の時間情報に矛盾が生じることがない。
【００２４】
また、本実施例では、画像情報ファイルは３０１の１つのみとしたが、複数あってもよいし、３０２，３０３のような、各再生シーケンス情報ファイルごとに再生時間、再生時間が異なるファイルはいくつでもよい。また、本実施例では画像情報ファイルに扱われる画像の再生時間を、再生される時刻として記録するように表したが、この再生時刻を、一枚の画像の再生時間として記録するようにしてもよい。
【符号の説明】
【００２５】
２０１・・・複数の画像の情報とその再生時刻（最初の画像１が再生時刻基点の０秒）が、再生順を追って並べられた構造をもつ、画像情報ファイル、２０２・・・１枚の画像情報からなる画像ファイル、２０３・・・１枚の画像情報からなる画像ファイル、２０４・・・画像の再生順序及び再生時間を１セットとする再生シーケンス情報ファイル、２０５・・・画像の再生順序及び再生時間を１セットとする再生シーケンス情報ファイル
【図１】
2011229177.tif 000003
【図２】
2011229177.tif 000004
【図３】
2011229177.tif 000005
【図４】
2011229177.tif 000006
【手続補正書】
【提出日】平成23年6月24日(2011.6.24)
【手続補正１】
【補正対象書類名】特許請求の範囲
【補正対象項目名】全文
【補正方法】変更
【補正の内容】
【特許請求の範囲】
【請求項１】
記録媒体に記録された複数の静止画像情報を再生する再生方法であって、
前記複数の静止画像情報は異なるSTC（System Time Clock）シーケンスに対応して一つのファイルとして前記記録媒体に記録されており、
前記記録媒体には、前記複数の静止画像情報の再生順序を表すプレイリストが記録されており、
前記プレイリストに基づいて前記静止画像情報の再生順序を制御する再生装置。